(57)【要約】【課題】高い慣性モーメントを有しつつ、かつ、視覚的に扱い易くする。【解決手段】パターヘッド本体１を平面視長方形状に形成し、その上面に周縁部１１を残したまま掘り込んで凹部１２を形成する。この凹部１２を扱いなれたパターヘッド形状と視認されるように形成する。【選択図】図２
2010284182.tif 000002
【特許請求の範囲】
【請求項１】
平面視長方形状又は正方形状に形成されたパターヘッド本体を備え、
前記パターヘッド本体の上面には、周縁部を残したまま掘り込んだ凹部が形成されていることを特徴とするパターヘッド。
【請求項２】
前記凹部は、平面視半円形状であることを特徴とする請求項１に記載のパターヘッド。
【請求項３】
前記凹部は、前記周縁部と異なった色であることを特徴とする請求項１又は２に記載のパターヘッド。
【請求項４】
前記周縁部には、加重部材が配置されていることを特徴とする請求項１〜３のいずれかに記載のパターヘッド。
【請求項５】
前記加重部材は、周縁部のヒール側とトウ側とに分散して配置されていることを特徴とする請求項４に記載のパターヘッド。
【請求項６】
前記パターヘッド本体には、シャフト孔が設けられていることを特徴とする請求項１〜５のいずれかに記載のパターヘッド。
【請求項７】
請求項１〜６のいずれか１項記載のパターヘッドを備えているパタークラブ。
【発明の詳細な説明】
【技術分野】
【０００１】
本発明は、ゴルフ用のパターヘッド及びパタークラブに関する。
【背景技術】
【０００２】
従来、ゴルフ用のパターヘッド及びパタークラブとして、高い慣性モーメント得るため、直方体形状の金属塊から形成したものが知られている（特許文献１参照）。
【先行技術文献】
【特許文献】
【０００３】
【特許文献１】特開平９−３０８７１６号公報
【発明の概要】
【発明が解決しようとする課題】
【０００４】
しかしながら、このようなパターヘッドは、平面視形状がパターヘッドとして珍しい長方形状であるため、多くのゴルファーに違和感を与え、視覚的に扱いづらいという問題があった。
【０００５】
本発明は、上述した事情に鑑みてなされたもので、その目的は、高い慣性モーメントを有しつつ、かつ、視覚的に扱い易いパターヘッドを提供することにある。
【課題を解決するための手段】
【０００６】
本発明は以下の手段を提供する。
【０００７】
［１］平面視長方形状又は正方形状に形成されたパターヘッド本体を備え、前記パターヘッド本体の上面には、周縁部を残したまま掘り込んだ凹部が形成されていることを特徴とするパターヘッド。
【０００８】
［２］前記凹部は、平面視半円形状であることを特徴とする前項１に記載のパターヘッド。
【０００９】
［３］前記凹部は、前記周縁部と異なった色であることを特徴とする前項１又は２に記載のパターヘッド。
【００１０】
［４］前記周縁部には、加重部材が配置されていることを特徴とする前項１〜３のいずれかに記載のパターヘッド。
【００１１】
［５］前記加重部材は、周縁部のヒール側とトウ側とに分散して配置されていることを特徴とする前項４に記載のパターヘッド。
【００１２】
［６］前記パターヘッド本体には、シャフト孔が設けられていることを特徴とする前項１〜５のいずれかに記載のパターヘッド。
【００１３】
［７］前項１〜６のいずれか１項記載のパターヘッドを備えているパタークラブ。
【発明の効果】
【００１４】
本発明は以下の効果を奏する。
【００１５】
前項［１］の発明によると、平面視長方形状又は正方形状に形成されたパターヘッド本体を備え、前記パターヘッド本体の上面に周縁部を残したまま掘り込んだ凹部を形成したため、周縁部に加重が配分されることにより、高い慣性モーメントを有しつつ、かつ、パターヘッド本体の平面視長方形状又は正方形状の内側にパターヘッド本体の上面全体よりも小さい凹部がパターヘッド形状として視認されることにより、視覚的に扱い易くすることができる。
【００１６】
前項［２］の発明によると、前記凹部を平面視半円形状としたため、マレット型のパターヘッド形状と視認できることにより、より視覚的に扱い易くすることができる。
【００１７】
前項［３］の発明によると、前記凹部を前記縁部と異なった色としたため、周縁部と分離して凹部をパターヘッドと認識しやすくなり、ひいては、より視覚的に扱い易くすることができる。
【００１８】
前項［４］の発明によると、前記周縁部には、加重部材を配置したため、より高い慣性モーメントを得ることができる。
【００１９】
前項［５］の発明によると、前記加重部材を周縁部のヒール側とトウ側とに分散して配置したため、ヒール側とトウ側の重量バランスを保ちながら、より効果的に高い慣性モーメントを得ることができる。
【００２０】
前項［６］の発明によると、前記パターヘッド本体には、シャフト孔を設けたため、シャフトを容易に取り付けることができる。
【００２１】
前項［７］の発明によると、前項１〜６のいずれか１項記載のパターヘッドを備えているパタークラブとしたため、このパタークラブについて上述したパターヘッドの効果を奏することができる。
【図面の簡単な説明】
【００２２】
【図１】図１は、本発明の第１実施形態にかかるパタークラブの斜視図である。
【図２】図２は、本発明の第１実施形態にかかるパターヘッドを分解して示す斜視図である。
【図３】図３は、同パターヘッドの平面図である。
【図４】図４は、同パターヘッドの断面図及び端面図で（Ａ）はＸ−Ｘ断面図、（Ｂ）はＸ−Ｘ端面図である。
【図５】図５は、本発明の第２実施形態にかかるパターヘッドの平面図である。
【発明を実施するための形態】
【００２３】
次に、本発明の第１実施形態について図１〜図４を参照して以下に説明する。
【００２４】
図１は、本発明の第１実施形態にかかるパタークラブの斜視図である。図２は、本発明の第１実施形態にかかるパターヘッドを分解して示す斜視図である。図３は、同パターヘッドの平面図である。図４は、同パターヘッドの断面図及び端面図で（Ａ）はＸ−Ｘ断面図、（Ｂ）はＸ−Ｘ端面図である。
【００２５】
図１に示すように、本発明のパタークラブＰは、パターヘッド１と、シャフト２と、グリップ３と、から構成されている。このパタークラブＰは、シャフト２の上方にブリップ３が取り付けられ、シャフト２の下方にパターヘッド１が取り付けられて、構成されている。
【００２６】
図２〜図４に示すように、本発明のパターヘッド１は、パターヘッド本体１０と、底板１６と、打撃面部材１５と、加重部材１４ａ，１４ｂと、から構成されている。
【００２７】
パターヘッド１は、平面視長方形状に形成されている。パターヘッド１の内部は、中空構造である。パターヘッド１は、パターヘッド本体１０の上面の形状を形成しておき、そのパターヘッド本体１０の底面に底板１６を例えば溶接により取り付けて形成されている。
【００２８】
パターヘッド１は、縦１００ｍｍ、横７５ｍｍ、高さ２１ｍｍに形成されている。パターヘッド１の重さは、３７０ｇである。パターヘッド１は、その凹部１２以外の部分が、例えばブラックニッケル仕上げ（ブラックニッケルメッキ）が施されている。パターヘッド本体１０と底板１６の材質は、ステンレス鋼である。
【００２９】
パターヘッド本体１０の打撃面１３には、打撃面窪み部１３ａが形成されている。この打撃面窪み部１３ａには、例えば接着剤を用いて打撃面部材１５が取り付けられている。この打撃面部材１５の素材は、樹脂である。
【００３０】
次に、パターヘッド本体１０の上面について説明する。
【００３１】
図２〜図４に示すように、パターヘッド本体１０の上面には、周縁部１１と、凹部１２と、が形成されている。
【００３２】
周縁部１１には、周縁窪み部１１ａ，１１ｂと、シャフト孔１１ｃと、が形成されている。周縁窪み部１１ａ，１１ｂは、周縁部１１の後方において、ヒール側とトウ側とにそれぞれ形成されている。
【００３３】
周縁窪み部１１ａ，１１ｂには、加重部材１４ａ，１４ｂが配置されている。この加重部材１４ａ，１４ｂは、例えば溶接して取り付けられている。加重部材１４ａ，１４ｂは、例えば三角形状、四角形状、丸形状、ひし形状等に形成されていても良く、この実施形態では、三角形状に形成されている。加重部材１４ａ，１４ｂは、例えばタングステンや、真鍮等を採用しても良い。この実施形態では、タングステンを採用している。加重部材１４ａ，１４ｂの重さは例えば４〜２０ｇに設定されていても良く、この実施形態では、８ｇに設定されている。
【００３４】
凹部１２には、目印ライン１２ａと、凸部１２ｂと、が形成されている。凹部１２は、平面視半円形状に視認されるように、所定の深さを有しつつ、平面視において、打撃面側のヒール側及びトウ側から後方に向かって円弧状に形成されている。この凹部１２により、ゴルファーがいわゆるマレット型のパターヘッド形状を扱っているかのように視認される。この凹部１２には凸部１２ｂ・・・が形成されている。凹部１２は黒色に塗装し着色されている。周縁部１１は、ブラックニッケル仕上げ（ブラックニッケルメッキ）が施されている。
【００３５】
凹部１２の中間には、目印ライン１２ａが形成されている。この目印ライン１２ａは、所定の深さを有しながら掘り込み、打撃面側から後方に向って線状に形成されている。その掘り込んだ部分を例えば白、赤、黄、シルバー、グレーに着色されていても良く、この実施形態では、白色に着色されている。
【００３６】
本実施形態のパタークラブＰは、次の利点がある。
【００３７】
すなわち、パタークラブＰをパターヘッド１と、シャフト２と、グリップ３と、から構成したため、このパタークラブＰについて、パターヘッド１の効果を奏することができる。
【００３８】
さらに、パターヘッド１を平面視長方形状に形成したため、高い慣性モーメントを有することができる。
【００３９】
さらに、パターヘッド１の内部を中空構造にし、パターヘッド１をパターヘッド本体１０の上面の形状を形成しておき、そのパターヘッド本体１０の底面に底板１６を溶接で取り付けて形成したため、組立作業・成形作業を簡単にして、パターヘッド１の製造コストを削減することができる。
【００４０】
さらに、パターヘッド１の内部を中空構造にしたため、パターヘッド１の周縁に加重が分散されることにより、高い慣性モーメントを得ることができる。
【００４１】
さらに、パターヘッド本体１０と底板１６の材質にステンレス鋼を採用したため、強度性、耐食性に優れたパターヘッドを提供することができる。
【００４２】
さらに、打撃面部材１５の素材に樹脂を採用したため、打撃面部材１５がパターヘッド本体１０よりも軽くなることにより、高い慣性モーメントを得ることができる。
【００４３】
さらに、周縁部１１の後方のヒール側とトウ側とに周縁窪み部１１ａ，１１ｂを形成し、ここに加重部材１４ａ，１４ｂを配置したため、効果的に周縁部１１を重くすることができ、高い慣性モーメントを得ることができる。
【００４４】
さらに、加重部材１４ａ，１４ｂを溶接して取り付けたため、組立作業を簡単にして、パターヘッド１の製造コストを低減することができる。
【００４５】
さらに、加重部材１４ａ，１４ｂの素材として、パターヘッド本体１０よりも比重の重いタングステンを採用したため、効果的に周縁部１１を重くして、高い慣性モーメントを得ることができる。
【００４６】
さらに、凹部１２を黒色に着色し、周縁部１１をブラックニッケル仕上げ（ブラックニッケルメッキ）に施したため、周縁部１１と分離して凹部１２をパターヘッドとして認識しやすくなり、ゴルファーがよりマレット型のパターヘッド形状と視認することができる。
【００４７】
さらに、凹部１２を打撃面側から後方に向かって線状の目印ライン１２ａが形成し、この目印ライン１２ａを白色に着色したため、ゴルフボールを打撃面部材１４に正確に当てることができる。
【００４８】
次に、本発明の第２実施形態について図５を参照して以下に説明する。
【００４９】
図５は、本発明の第２実施形態にかかるパターヘッドの平面図である。
【００５０】
図５に示すように、この第２実施形態にかかるパターヘッド４０は、平面視正方形状に形成されている。
【００５１】
本実施形態のパターヘッドは、次に利点がある。
すなわち、パターヘッド４０を平面視正方形状に形成したため、高い慣性モーメントを有することができる。
【００５２】
以上、本発明を第１，２実施形態に基づいて説明してきたが、本発明は、これに限定されるものではなく、以下のように構成しても良い。
【００５３】
（１）上記実施形態では、パターヘッド１の内部を中空構造にし、パターヘッド１をパターヘッド本体１０の上面の形状を形成しておき、そのパターヘッド本体１０の底面に底板１６を例えば溶接により取り付けて形成したが、本発明はこれに限定されるものではなく、例えば、四角いアルミニウム塊の上面を掘り込んで凹部を備えるように形成しても良い。
【００５４】
（２）上記実施形態では、パターヘッド本体１０と底板１６の材質にステンレス鋼を採用したが、本発明はこれに限定されるものではなく、例えば真鍮、チタン、チタン合金、アルミニウム、アルミニウム合金等でも良い。
【００５５】
（３）上記実施形態では、打撃面部材１５の素材に樹脂を採用したが、本発明はこれに限定されるものではなく、パターヘッド本体１０より軽く柔軟な素材であれば良く、例えばウレタン、アルミニウム等でも良い。
【００５６】
（４）上記実施形態では、周縁窪み部１１ａ，１１ｂを周縁部１１の後方においてヒール側とトウ側にそれぞれ形成したが、本発明はこれに限定されるものではなく、周縁部１１の後方でなくとも、例えば周縁部１１の前方付近に形成しても良く、周縁部１１なら任意の位置に形成しても良い。
【００５７】
（５）上記実施形態では、周縁部１１をブラックニッケル仕上げ（ブラックニッケルメッキ）に施したが、本発明はこれに限定されるものではなく、周縁部１１を凹部１２と異なる色にすれば良く、例えば銀色、灰色、黒色等に塗装し、凹部と異なる色に着色しても良い。
【００５８】
また、上記実施形態では、凹部１２を黒色に着色したが、本発明はこれに限定されるものではなく、周縁部１１と凹部１２とを異なる色にすれば良く、例えば銀色、灰色に塗装し、周縁部１１と異なる色に着色しても良い。
【００５９】
また、着色例としては、周縁部１１と凹部１２とを分離して認識させるため、例えば周縁部１１を銀色に着色し凹部１２を黒色に着色しても良く、周縁部１１を黒色に着色し凹部１２を銀色に着色しても良く、周縁部１１を灰色に着色し凹部１２を黒色に着色しても良い。
【００６０】
また、周縁部１１と凹部１２とを分離して認識させるため、周縁部１１と凹部１２とを同色に着色し、その一方の色の明度及び／又は彩度を異にすることで、トーンのみが異なるようにしても良い。例えば周縁部１１を黒色に着色し凹部１２も黒色に着色し、そのいずれか一方に艶加工を施して仕上げても良い。
【００６１】
また、必ずしも異なる色に着色しなくとも同色に着色しても良く、例えば周縁部１１と凹部１２とを黒色に着色しても良い。また、周縁部１１や凹部１２は、必ずしも着色等をする必要はない。
【００６２】
また、四角いアルミニウム塊の上面を掘り込んで凹部を備えるように形成した場合のパターヘッドをアルマイト加工で着色し、凹部を塗装して着色しても良い。
【符号の説明】
【００６３】
１      パターヘッド
１０    パターヘッド本体
１１    周縁部
１１ｃ  シャフト孔
１２    凹部
１４ａ  加重部材
１４ｂ  加重部材
４０    パターヘッド本体
Ｐ      パタークラブ
【図１】
2010284182.tif 000003
【図２】
2010284182.tif 000004
【図３】
2010284182.tif 000005
【図４】
2010284182.tif 000006
【図５】
2010284182.tif 000007